(57)【要約】【課題】汗取り効果を高めるとともに、簡単な操作で確実に装着し、手軽に取り外して洗濯することができるベビーカー、チャイルドシート等の座席用の汗取カバーを提供する。【解決手段】幼児が着座する座席に装着する汗取カバーにおいて、吸収した水分を拡散させる拡散性を有する吸水シート１と、該吸水シート１に接合された防水シート２とを備え、該防水シート２の外側表面に、座席に対して分離自在に取り付けるための取付け層３（面ファスナー）を設けた。吸水シート１の外側表面に起毛部４を有し、吸水シート１及び防水シート２は、少なくともシートの周縁部１ａ，２ａで溶着してある。【選択図】図２
2009142495.tif 000002
【特許請求の範囲】
【請求項１】
幼児が着座する座席に装着する汗取カバーにおいて、吸収した水分を拡散させる拡散性を有する吸水シートと、該吸水シートに接合された防水シートとを備え、該防水シートの外側表面に、前記座席に対して分離自在に取り付けるための取付け層を設けたことを特徴とする汗取カバー。
【請求項２】
前記取付け層は面ファスナーであることを特徴とする請求項１に記載の汗取カバー。
【請求項３】
前記吸水シート及び防水シートは、少なくともシートの周縁部で溶着してあることを特徴とする請求項１または２に記載の汗取カバー。
【請求項４】
前記吸水シートは外側表面に起毛部を有することを特徴とする請求項１から３のいずれか１項に記載の汗取カバー。
【請求項５】
前記吸水シート及び防水シートは略長方形であることを特徴とする請求項１から４のいずれか１項に記載の汗取カバー。 
【発明の詳細な説明】
【技術分野】
【０００１】
本発明は、幼児が着座する座席に装着して、幼児の背中、首、頭部等から発生する汗を吸い取り、発散させるための汗取カバーに関する。
【背景技術】
【０００２】
ベビーカー、チャイルドシート等の幼児が着座する座席に装着する汗取カバーに関連した従来技術として、吸湿紙、高分子吸水材及び防水性のポリエチレンシートを順番に積層し使い捨ての汗取りシートが公知であり、この汗取りシートは幼児の衣服の下の背中に吸湿紙が当たるように装着する（特許文献１参照）。また座席シート部材の背凭れ部分に、メッシュ構造を有する通気性の発散部を一体形成したベビーカーが公知である（特許文献２参照）。
【特許文献１】特開２００２−８８５０８号公報
【特許文献２】特開２００６−１２２４１７号公報
【発明の開示】
【発明が解決しようとする課題】
【０００３】
特許文献１に記載の汗取りシートは、幼児の衣服の下に装着するので装着が面倒であり、使用者に違和感が生じ易いとともに、背中に当てるだけであるので使用時にずれが生じ易い。また吸水性の機能しかないので、吸収した汗の発散が十分ではなく、シート中に溜まる不利がある。特許文献２に記載のベビーカーの発散部は単に通気性を有するだけであるので汗取り効果が十分ではなく、また座席シート部材に一体になっているので、使用により汗で汚れた場合でも取り外して洗濯することができない。
【０００４】
本発明は、上述したような事情に鑑みてなされたものであり、汗取り効果を高めるとともに、簡単な操作で座席に装着でき、手軽に取り外して洗濯することができる汗取カバーを提供することを目的とする。
【０００５】
また本発明は、座席への装着に好適な材料を有する汗取カバーを提供することを他の目的とする。
【０００６】
また本発明は、使用時に安定な状態を維持し易くした汗取カバーを提供することを他の目的とする。
【０００７】
また本発明は、使用時にソフトな肌触りを与える汗取カバーを提供することを他の目的とする。
【０００８】
また本発明は、ベビーカー、チャイルドシート等の座席の形状に適合し、好適に装着使用することができる汗取カバーを提供することを他の目的とする。
【課題を解決するための手段】
【０００９】
第１の発明に係る汗取カバーは、幼児が着座する座席に装着する汗取カバーにおいて、吸収した水分を拡散させる拡散性を有する吸水シートと、該吸水シートに接合された防水シートとを備え、該防水シートの外側表面に、前記座席に対して分離自在に取り付けるための取付け層を設けたことを特徴とする。
第１の発明においては、防水シートの外側表面に設けた取付け層を座席に押し当てることにより、取付け層が座席の表面に付着し汗取カバーが装着される。着座中の幼児の背中、首等から発生した汗は吸水シートの外側表面から直接吸収され、防水シートによって座席側への通過が阻止されながら吸水シートによって拡散され、蒸発する。座席の表面から取付け層をはがすことにより、汗取カバーが取り外される。
【００１０】
第２の発明に係る汗取カバーは、前記取付け層は面ファスナーであることを特徴とする。
第２の発明においては、面ファスナーを座席の表面に押し付けることによって面ファスナーが座席の表面素材に引っ掛かり、汗取カバーが座席に装着される。面ファスナーを引っ張って座席の表面からはがすことにより、汗取カバーが取り外される。
【００１１】
第３の発明に係る汗取カバーは、前記吸水シート及び防水シートは、少なくともシートの周縁部で溶着してあることを特徴とする。
第３の発明においては、吸水シート及び防水シートがシートの周縁部で溶着してあるので、取り扱い易く、座席内で幼児が動いた場合でも両シートのずれが発生しにくい。
【００１２】
第４の発明に係る汗取カバーは、前記吸水シートは外側表面に起毛部を有することを特徴とする。
第４の発明においては、着座中の幼児が汗取カバーに背中を当てた場合に、吸水シートの外側表面が有する起毛部が背中に当たる。
【００１３】
第５の発明に係る汗取カバーは、前記吸水シート及び防水シートは略長方形であることを特徴とする。
第５の発明においては、ベビーカー、チャイルドシート等の座席は通常上下方向に長い長方形であるので、略長方形の吸水シート及び防水シートを備えた汗取カバーによって同一形状の座席に適切に装着することができる。
【発明の効果】
【００１４】
第１の発明に係る汗取カバーによれば、吸水シートが着座中の幼児の背中、首等から発生した汗を直接吸収し拡散させ、蒸発させるので汗取り効果が高い。防水シートの外側表面の取付け層によって座席に装着することができ、使用後、取付け層を座席から分離させて汗取カバーを取り外し、洗濯することができる。
従って、汗取り効果を高めるとともに、簡単な操作で確実に装着することができ、使用により汗がついて汚れた場合に、手軽に取り外して洗濯することができる汗取カバーが提供される。
【００１５】
第２の発明に係る汗取カバーによれば、面ファスナーが座席の表面素材に引っ掛かることによって座席の表面に取り付けられるので、座席への装着に好適な材料を有する汗取カバーが提供される。
【００１６】
第３の発明に係る汗取カバーによれば、接合された吸水シート及び防水シートは使用時にシート同士のずれが発生しにくいので、使用時に安定な状態を維持し易い汗取カバーが提供される。
【００１７】
第４の発明に係る汗取カバーによれば、使用時に、吸水シートの外側表面の起毛部が幼児の背中に当たるので、ソフトな肌触りを与える汗取カバーが提供される。
【００１８】
第５の発明に係る汗取カバーによれば、略長方形の吸水シート及び防水シートを備えた汗取カバーによって同一形状の座席に適切に装着し、好適に装着使用することができる汗取カバーが提供される。
【発明を実施するための最良の形態】
【００１９】
以下、本発明に係る汗取カバーの実施の形態について、図面に基づいて説明する。
図１は本発明に係る汗取カバーを示す平面図、図２は図１のＩＩ−ＩＩ線における断面図である。
【００２０】
本発明に係る汗取カバーは、吸収した水分を拡散させる拡散性を有する吸水シート１と、該吸水シート１に後述の熱溶着により接合された防水シート２とを備えている。吸水シート１及び防水シート２は、略長方形であり、４角部が円弧状に丸くなっている。吸水シート１は吸水性及び拡散性に優れ、その結果、速乾性を有する繊維、具体的には、旭化成せんい株式会社製のポリエステル繊維；商品名テクノファイン（登録商標）を使用している。テクノファインは、特殊なＷ型繊維構造による細かい溝が水分をすばやく吸い上げ、吸った水分をすばやく拡散させて乾燥させるため、多量の水分を吸収してもべたつきにくく速乾性に優れる。
【００２１】
吸水シート１は外側表面及び内側表面に起毛部４を有する。該起毛部４は吸水シート１の材料であるポリエステル繊維にポリウレタン繊維を組み合わせたツーウエイ（２ＷＡＹ）トリコットにて作製してある。吸水シート１は両側の起毛部４を含めて約２ｍｍ程度の厚さを有する。図示はしないが、吸水シート１の外側表面には動物などの絵柄が描かれている。また、起毛部４は少なくとも吸水シート１の外側表面に設けてあればよい。
【００２２】
防水シート２は防水性を有するポリエステル繊維である。防水シート２は、熱可塑性繊維であるポリエステル繊維を互いにからませて集合してなる薄肉（約０．１ｍｍ程度の厚さ）の不織布からなり、適度の撓み性を有する。ただし、防水シート２の材料としては、ポリエステル繊維以外の繊維、又は合成樹脂のフィルムでもよい。
【００２３】
防水シート２の外側表面には、座席に対して分離自在に取り付けるための取付け層３を設けている。取付け層３は、具体的には、ポリエチレン製の面ファスナーである。
【００２４】
吸水シート１、防水シート２及び面ファスナー３は、シートの周縁部１ａ，２ａ，３ａの全周で熱溶着してある。さらに、両シート１，２及び面ファスナー３の中央部には、菱形（４角部は円弧状に丸めてある）を描くように線状の熱溶着部１ｂ，２ｂ，３ｂを有している。該菱形は、長い方の対角線をシート１，２の長辺と平行な方向に向けている。以上の熱溶着部分の幅は、一方の短辺の両角部を除いて１ｍｍ程度で同一であるが、一方の短辺の両角部が四角に近い範囲に熱溶着されている。
【００２５】
図３は本発明に係る汗取カバーを座席１０に装着した状態を示す断面図、図４は本発明に係る汗取カバー１１の使用状態を示す斜視図である。面ファスナー３が座席１０の表面１０ａに引っ掛けて装着され、吸水シート１の外側表面の起毛部４に幼児の頭、背中等が当たる状態で使用する。
【００２６】
前述の実施の形態では、取付け層３を面ファスナーにて構成したが、これに限るものではない。要するに、本発明に係る汗取カバーをベビーカー、チャイルドシート等の座席１０の表面１０ａに押し当てて装着した状態において、座席１０に付着する素材、表面状態を有する材料であればよい。
【００２７】
前述の実施の形態では、吸水シート１の材料として特定の商品名のポリエステル繊維：テクノファイン（登録商標）を使用したが、これ以外の吸水性及び拡散性（速乾性）に優れた各種合成繊維材料を使用してもよい。
【図面の簡単な説明】
【００２８】
【図１】本発明に係る汗取カバーを示す平面図である。
【図２】図１のＩＩ−ＩＩ線における断面図である。
【図３】本発明に係る汗取カバーを座席に装着した状態を示す断面図である。
【図４】本発明に係る汗取カバーの使用状態を示す斜視図である。
【符号の説明】
【００２９】
１    吸水シート
１ａ  周縁部
２    防水シート
２ａ  周縁部
３    取付け層（面ファスナー）
４    起毛部
１０  座席
１１  汗取カバー
【図１】
2009142495.tif 000003
【図２】
2009142495.tif 000004
【図３】
2009142495.tif 000005
【図４】
2009142495.tif 000006